(57)【要約】      （修正有）【課題】自動車などの窓に使用するカーテンにおいて、カーテンレールが簡易に脱着可能であり、且つ、窓枠などへの固着が安定になるマグネットシートを用いたマグネット付カーテンを提供する。【解決手段】マグネット付カーテン１００は、カーテンレール２０と、カーテンレールの側部から内部に嵌め込まれ、引っ掛けられるとともに摺動するフック３１を有するランナー３０と、布などの生地を用いて形成され、フックを用いて吊り下げられるカーテン本体１０と、板状のマグネットシート４０とを有している。マグネット付カーテンは、マグネットシートがカーテンレールと一体化していることにより、カーテンレールを、金属を有する窓枠などに簡易に貼り付けることができ、マグネットシートの磁力により、強固な接着が可能となる。【選択図】図１
0003228018.tif 000002
【実用新案登録請求の範囲】
【請求項１】
生地を用いて形成されているカーテン本体と、カーテンレールと、前記カーテンレールの側部から内部に嵌め込まれ、引っ掛けられるとともに摺動するフックを有するランナーと、前記フックを用いて吊り下げられている前記カーテン本体と、板状のマグネットシートを有するマグネット付カーテンであって、
前記板状のマグネットシートは、第1の面と、前記第１の面と対向する第２の面を有し、前記カーテンレールの上面と、前記マグネットシートの第１の面が一体的になるように貼り付けられ固着されていることを特徴とするマグネット付カーテン。
【請求項２】
前記マグネットシートの第２の面が金属を有する窓枠に貼り付けられ、吸着されることを特徴とする請求項１に記載のマグネット付カーテン。
【請求項３】
自動車用のカーテンとして用いられることを特徴とする請求項２に記載のマグネット付カーテン。
【請求項４】
前記マグネットシートの第２の面と磁性を有しない窓枠が、両面テープを用いて接着されることを特徴とする請求項１に記載のマグネット付カーテン。
【考案の詳細な説明】
【技術分野】
【０００１】
本考案は、マグネット付カーテンに関する。
【背景技術】
【０００２】
カーテンは、部屋の遮光などに使用するものであり、通常窓などの内側にカーテンレールを用いて吊り下げられている。カーテンレールは、カーテンブラケットを用いて壁などに固定されており、カーテンレールにはカーテンランナーが取り付けられフックを用いてカーテンランナーの部分にカーテンが吊り下げられている。
【先行技術文献】
【特許文献】
【０００３】
【特許文献１】特開２００２−２９１６１４号公報
【考案の概要】
【考案が解決しようとする課題】
【０００４】
上記のとおり、カーテンは、部屋の遮光などに使用するものであり通常窓などの内側に吊り下げる形で取り付けて用いられており、カーテンレールはカーテンブラケットを用いて壁などに固定されているが、自動車などの窓に使用するカーテンにおいて、カーテンレールが、簡易に脱着可能であり、且つ、窓枠などへの固着において安定したものが求められていた。
【０００５】
本考案は、こうした点に鑑みてなされたものであり、自動車などの窓に使用するカーテンにおいて、カーテンレールが簡易に脱着可能であり、且つ、窓枠などへの固着において安定したものとなるようにマグネットシートを用いたマグネット付カーテンを提供することである。
【課題を解決するための手段】
【０００６】
上記課題を解決するために、本考案に係るマグネット付カーテンは、生地を用いて形成されているカーテン本体と、カーテンレールと、前記カーテンレールの側部から内部に嵌め込まれ、引っ掛けられるとともに摺動するフックを有するランナーと、前記フックを用いて吊り下げられている前記カーテン本体と、板状のマグネットシートを有するマグネット付カーテンであって、前記板状のマグネットシートは、第1の面と、前記第１の面と対向する第２の面を有し、前記カーテンレールの上面と、前記第１の面が一体的になるように貼り付けられ固着されていることを特徴とする。
【０００７】
本考案に係るマグネット付カーテンの態様について、前記マグネットシートの第２の面が金属を有する窓枠に貼り付けられ、吸着されることが好ましく、また、自動車用のカーテンとして用いられることが好ましい。
【０００８】
本考案に係るマグネット付カーテンの態様について、前記マグネットシートの第２の面と磁性を有しない窓枠が、両面テープを用いて接着されることが好ましい
【考案の効果】
【０００９】
本考案によれば、自動車などの窓に使用するカーテンにおいて、カーテンレールが簡易に脱着可能であり、且つ、窓枠などへの固着において安定したものとなるようにマグネットシートを用いたマグネット付カーテンを提供することができる。
【図面の簡単な説明】
【００１０】
【図１】実施形態のマグネット付カーテンの一例を示す模式図である。
【図２】マグネット付カーテンの使用の状態を示す参考図である。
【図３】マグネット付カーテンの自動車での使用を示す参考図である。
【考案を実施するための形態】
【００１１】
以下、本考案の実施形態であるマグネット付カーテン１００ついて図１から図３を用いて説明する。図１（ａ）は、マグネット付カーテン１００の全体を示す模式図であり、図１（ｂ）は、マグネット付カーテン１００のカーテンレール２０の詳細を示す模式図である。図２は、マグネット付カーテン１００が、自動車に使用されている参考図であり、内部からのみた図である。図３（ａ）は、マグネット付カーテン１００が自動車に使用されている参考図であり、カーテンが閉じられている状態を外部から見た図である。また、図３（ｂ）は、マグネット付カーテン１００が自動車に使用されている参考図であり、カーテンの半分程度が閉じられている状態を外部から見た図である。なお、これらの図に示す実施形態は、本考案の一例でありこれに限定されず本考案の各構成が適宜最適なものとなればよい。
【００１２】
マグネット付カーテン１００は、布などの生地を用いて形成されているカーテン本体１０と、カーテンレール２０と、カーテンレール２０の側部から内部に嵌め込まれ、引っ掛けられるとともに摺動するフック３１を有するランナー３０と、フック３１を用いて吊り下げられているカーテン本体１０と、板状のマグネットシート４０を有している。なお、カーテンレール２０は、両サイドに嵌め込まれるように形成されている蓋２１を備えており、この蓋２１により、カーテンレール２０の内部のランナー３０がはみでないようにしている。
【００１３】
マグネットシート４０は、板状に形成されており、フェライトに塩素化ポリエチレンを混ぜ合わせてシート状に加工されて磁化されたものである。マグネットシート４０は、第１の面と、第１の面と対向する第２の面を有し、カーテンレール２０の上面と、第１の面が一体的になるように貼り付けられ固着されている。このように固着されているカーテンレール２０とマグネットシート４０は、使用の状態に合わせてカットすることができ、最適な長さにすることができる。このようにカーテンレール２０とマグネットシート４０を使用の状態に合わせてカットすることができ最適な長さにすることができることにより、例えば、車窓の長さに合わせて、カーテンレールをハサミなどで簡単に切断することができる。
【００１４】
このようにマグネット付カーテン１００はマグネットシート４０が、カーテンレール２０と一体化していることにより、カーテンレール２０を、鉄などの金属を有する窓枠などに簡易に貼り付けることができ、マグネットシート４０の磁力により、強固な接着が可能となっている。つまりマグネット付カーテン１００は、マグネットシート４０の第２の面が、鉄などの窓枠にマグネットシート４０の磁力で固着されるように形成されている。
【００１５】
マグネット付カーテン１００は、住宅の窓枠が金属製の場合に、簡易に取り付けることができる構成であるが、このマグネット付カーテン１００の特徴として、自動車用のカーテンとしても使用できることである。すなわち、自動車の窓枠は、金属、つまり鉄でできているものが多く、この鉄でできている窓枠に、マグネットシート４０を、貼り付けることで、強固に吸着されることになる。
【００１６】
また、マグネット付カーテン１００は、例えば、窓枠が金属製ではなく磁力でマグネットシート４０が窓枠に吸着されない場合において、マグネットシートの第２の面と磁性を有しない窓枠が、両面テープを用いて接着されるようにしてもよい。このようにすることで、マグネット付カーテン１００を、簡易に窓枠に固着することができる。
【００１７】
上記のとおり本考案のマグネット付カーテン１００は、自動車の窓に使用するカーテンとして、また、家の窓に使用するカーテンとして用いることができるものであり脱着可能な機能も有している優れたものである。また、マグネット付カーテン１００は、板状のマグネットシート４０を用いることで、窓枠などとの効果的な吸着力を有しておりスムースなカーテンの開閉が可能な構成となっている。
【００１８】
以上、本考案の有する特徴及び優れた点を上記実施形態に記載したが、本考案は、本願の実用新案登録請求の範囲で使用されている言葉を広く一般的な意味に拡張して実施することができる。
【００１９】
また、本考案のマグネット付カーテンは、大きさや形状、素材の種類、厚さ、重さなどについては多様な実施形態が可能であり、それらについて本実施形態と異なる形態による実施は、本考案の技術的範囲に含まれる。
【符号の説明】
【００２０】
１００  マグネット付カーテン
１０    カーテン本体
２０    カーテンレール
３０    ランナー
４０    マグネットシート
【図１】
0003228018.tif 000003
【図２】
0003228018.tif 000004
【図３】
0003228018.tif 000005